【手続補正書】
【提出日】平成19年7月3日(2007.7.3)
【手続補正１】
【補正対象書類名】明細書
【補正対象項目名】特許請求の範囲
【補正方法】変更
【補正の内容】
【特許請求の範囲】
【請求項１】  塩様構造化シリケート（低分子量有機カチオンを含み、アニオンがアイランド、リング、グループ、チェーン、リボン、層またはマトリックス状シリケートである）の電子写真用トナー及び現像剤、粉末塗料、エレクトレット材料及び静電分離法における電荷調節剤としての使用。
【請求項２】  シリケートがモンモリロナイト、ベントナイト、ヘクトライト、カオリナイト、蛇紋石、タルク、パイロフィライト、雲母、金雲母、黒雲母、白雲母、ソーダ雲母、ひる石、バイデライト、キサントフィライト、真珠雲母、長石、ゼオライト、ケイ灰石、アクチノライト、アモサイト、クロシドライト、シリマナイト、ノントロナイト、スメクタイト、セピオライト、サポナイト、フォージャサイト、パームチット及びサシルからなる群から選択されるアニオンである、請求の範囲第１項に記載の使用。
【請求項３】  低分子量有機カチオンが置換アンモニウム、ホスホニウム、チオニウムまたはトリフェニルカルボニウムイオン、またはカチオン性金属錯体である請求の範囲第１項および第２項のいずれか１項に記載の使用。
【請求項４】  アンモニウムイオンが式（ａ）乃至（ｊ）：
【化１】
2003515795.tif 000001
［式中、
Ｒ１乃至Ｒ１８は同一でも異なっていてもよく、水素、ＣＮ、（ＣＨ２）１−１８ＣＮ、ハロゲン、直鎖または分枝鎖Ｃ１−Ｃ３２アルキル、モノ−もしくはポリ−不飽和Ｃ１−Ｃ2２アルケニル、Ｃ１−Ｃ2２アルコキシ、Ｃ１−Ｃ2２ヒドロキシアルキル、Ｃ１−Ｃ2２ハロゲノアルキル、Ｃ2−Ｃ2２ハロゲノアルケニル、Ｃ１−Ｃ2２−アミノアルキル、（Ｃ１−Ｃ1２）−トリアルキル−アンモニウム−（Ｃ１−Ｃ2２）アルキル；（Ｃ１−Ｃ2２）アルキレン−（Ｃ＝Ｏ）Ｏ−（Ｃ１−Ｃ３２）アルキル、（Ｃ１−Ｃ2２）−アルキレン−（Ｃ＝Ｏ）Ｏ−アリール、（Ｃ１−Ｃ2２）−アルキレン−（Ｃ＝Ｏ）ＮＨ−（Ｃ１−Ｃ３２）アルキル、（Ｃ１−Ｃ2２）-アルキレン−（Ｃ＝Ｏ）ＮＨ−アリール；前記酸エステルまたは酸アミド結合に
【化２】
2003515795.tif 000002
が挿入されていてもよく；（Ｃ１−Ｃ18）アルキレン−Ｏ（ＣＯ）−（Ｃ１−Ｃ3２）アルキル、（Ｃ１−Ｃ2２）アルキレン−Ｏ（ＣＯ）−アリール、（Ｃ１−Ｃ2２）アルキレン−ＮＨ（Ｃ＝Ｏ）−（Ｃ１−Ｃ3２）アルキル、（Ｃ１−Ｃ2２）−アルキレン−ＮＨＣＯ−アリール；ポリ（オキシ−Ｃ１−Ｃ1２−アルキレン）；アリール、（Ｃ１−Ｃ18）−アルキレンアリール；−（Ｏ−ＳｉＲ’２）１−３２−Ｏ−ＳｉＲ’３（ここで、Ｒ’はＣ１−Ｃ1２アルキル、フェニル、ベンジルまたはＣ１−Ｃ1２アルコキシである）；ヘテロシクリル、Ｃ１−Ｃ18−アルキレン−ヘテロシクリル（ここで、アリール基及びヘテロシクリル基は炭素またはヘテロ原子上でＣ１−Ｃ１２アルキル、Ｃ１−Ｃ４アルケニル、Ｃ１−Ｃ４アルコキシ、ヒドロキシ−（Ｃ１−Ｃ４）アルキル、アミノ−（Ｃ１−Ｃ４）アルキル、Ｃ１−Ｃ４アルキルイミノ、カルボキシ、ヒドロキシル、アミノ、ニトロ、シアノ、ハロゲン、Ｃ１−Ｃ１２アシル、Ｃ１−Ｃ４ハロゲノアルキル、Ｃ１−Ｃ４アルキルカルボニル、Ｃ１−Ｃ４アルキルカルボニルオキシ、Ｃ１−Ｃ４アルコキシカルボニル、Ｃ１−Ｃ４アルキルアミノカルボニル、Ｃ１−Ｃ４アルキルカルボニルイミノ、Ｃ６−Ｃ１０アリールカルボニル、アミノカルボニル、アミノスルホニル、Ｃ１−Ｃ４アルキルアミノスルホニル、フェニル、ナフチルまたはヘテロアリールでモノまたはポリ置換され得る）を表し、
Ｒ１９はＣ４−Ｃ１１アルキレン、−（Ｃ２Ｈ４Ｏ−）１−１７−（ＣＨ２）１−２−または−（Ｃ２Ｈ４−ＮＲ−）１−１７−（ＣＨ２）１−２−（ここで、Ｒは水素またはＣ１−Ｃ１２アルキルである）を表し、
ＸはＹ、−ＣＯ−ＣＨ２−ＣＯ−を意味し、
【化３】
2003515795.tif 000003
を表し、
Ｙは
【化４】
2003515795.tif 000004
またはｏ−、ｐ−またはｍ−（Ｃ６−Ｃ１４）アリーレンまたはＮ、Ｏ及び／またはＳからなる群から選択される１〜４個のヘテロ原子を有する（Ｃ４−Ｃ１４）ヘテロアリーレンを表し、
Ｒ６０はＣ１−Ｃ３２アシル、Ｃ１−Ｃ２２アルキル、Ｃ２−Ｃ２２アルケニル、Ｃ１−Ｃ１８アルキレン−Ｃ６−Ｃ１０アリール、Ｃ１−Ｃ２２アルキレン−ヘテロシクリル、Ｃ６−Ｃ１０アリールまたはＮ、Ｏ及び／またはＳからなる群から選択される１〜４個のヘテロ原子を有する（Ｃ４−Ｃ１４）ヘテロアリールを表し、
Ｒ６１及びＲ６４は−（ＣＨ２）１−１８−、Ｃ１−Ｃ１２アルキレン−Ｃ６−Ｃ１０アリーレン、Ｃ６−Ｃ１０アリーレンまたはＣ０−Ｃ１２アルキレン−ヘテロシクリルを表し、
Ｚは−ＮＨ−または−Ｏ−を表し、
Ａ１−及びＡ３−は−ＣＯＯ−、−ＳＯ３−、−ＯＳＯ３−、ＳＯ２−、−ＣＯＳ−または−ＣＳ２−を表し、
Ａ２は−ＳＯ２Ｎａ、−ＳＯ３Ｎａ、−ＳＯ２Ｈ、−ＳＯ３Ｈまたは水素を表し、
Ｒ６９及びＲ７０は相互に独立して、水素、アルキル鎖が１つ以上の−ＮＨ−ＣＯ−，−ＣＯ−ＮＨ−，−ＣＯ−Ｏ−または−Ｏ−ＣＯ−の基を含んでいてもよいＣ１−Ｃ３２アルキル、Ｃ１−Ｃ１８アルキレン−アリール、Ｃ０−Ｃ１８アルキレン−ヘテロシクリル、Ｃ１−Ｃ１８ヒドロキシアルキル、Ｃ１−Ｃ１８ハロゲノアルキル、アリール、−（ＣＨ２）３−ＳＯ３−、
【化５】
2003515795.tif 000005
を表し、
Ｒ７１及びＲ７２は−（ＣＨ２）１−１２−を表し、
Ｒ７３及びＲ７４は水素またはＣ１−Ｃ２２アルキルを表す］
の１つを有する請求の範囲第３項に記載の使用。
【請求項５】  
Ｒ１〜Ｒ１８は水素、ＣＮ、ＣＨ２−ＣＮ、ＣＦ３、Ｃ１−Ｃ２２アルキル、Ｃ２−Ｃ１８アルケニル、Ｃ１−Ｃ１８アルコキシ、Ｃ１−Ｃ１８ヒドロキシアルキル、Ｃ１−Ｃ１８ハロゲノアルキル、Ｃ２−Ｃ１８ハロゲノアルケニル（ここで、ハロゲンは好ましくはＦまたはＣｌである）、Ｃ１−Ｃ１８アミノアルキル、（Ｃ１−Ｃ６）−トリアルキルアンモニウム−（Ｃ１−Ｃ１８）−アルキル、（Ｃ１−Ｃ１８）−アルキレン−Ｏ（Ｃ＝Ｏ）Ｏ−（Ｃ１−Ｃ２２）アルキル、（Ｃ１−Ｃ１８）アルキレン−Ｏ（Ｃ＝Ｏ）−フェニル、（Ｃ１−Ｃ１８）アルキレン−ＮＨＣＯ−（Ｃ１−Ｃ２２）アルキル、（Ｃ１−Ｃ１８）アルキレン−ＮＨＣＯ−フェニル、（Ｃ１−Ｃ１８）アルキレン−（Ｃ＝Ｏ）Ｏ−（Ｃ１−Ｃ２２）アルキル、（Ｃ１−Ｃ１８）アルキレン−（Ｃ＝Ｏ）Ｏ−フェニル、（Ｃ１−Ｃ１８）アルキレン−（Ｃ＝Ｏ）ＮＨ−（Ｃ１−Ｃ２２）アルキル、（Ｃ１−Ｃ１８）アルキレン−ＣＯＮＨ−フェニル、ベンジル、フェニル、ナフチル、（Ｃ１−Ｃ１２）アルキレン−ヘテロシクリルを表し、
Ｒ１９はＣ４−Ｃ５アルキレン、−（Ｃ２Ｈ４Ｏ−）１−９−（ＣＨ２）１−２−または−（Ｃ２Ｈ４−ＮＨ）１−９−（ＣＨ２）１−２−を表し、
Ｒ６０はＣ１−Ｃ１８−アシル、Ｃ１−Ｃ１８−アルキル、Ｃ２−Ｃ１８−アルケニル、Ｃ１−Ｃ１２−アルキレン−フェニル、Ｃ１−Ｃ１８−アルキレン−ピリジル、フェニルまたはピリジルを表し、
Ｒ６１及びＲ６４は−（ＣＨ２）１−１２−、Ｃ１−Ｃ８−アルキレン−フェニレン、フェニレン、またはＣ１−Ｃ８−アルキレンピリジレンまたはピペリジレンを表し、
Ｒ７１及びＲ７２は−（ＣＨ２）１−８−を表し、
Ｒ７３及びＲ７４は水素または（Ｃ１−Ｃ１８）アルキルを表す
請求の範囲第４項に記載の使用。
【請求項６】  アンモニウムイオンが環に結合して１〜４個のＮ、Ｏ及び／またはＳ原子を含む脂肪族または芳香族の５〜１２員ヘテロ環基であり、２〜８個の環が融合してもよく、好ましくはピリジニウム、ピリダジニウム、ピリミジニウム、ピラジニウム、プリニウム、テトラアザポルフィリニウム、ピペリジニウム、モルホリニウム、テトラゾニウム、トリアザ−シクロノナニウムまたはテトラアザ−シクロドデカニウムである請求の範囲第３項に記載の使用。
【請求項７】  カチオン性金属錯体が金属カルボキシレート、金属サリチレート、金属スルホネート、１：１金属−アゾ錯体または金属ジチオカルバメートであり、前記金属は好ましくはＡｌ、Ｍｇ、Ｃａ、Ｓｒ、Ｂａ、ＴｉＯ、ＶＯ、Ｃｒ、Ｖ、Ｔｉ、Ｚｒ、Ｓｃ、Ｍｎ、Ｆｅ、Ｃｏ、Ｎｉ、Ｃｕ、ＺｎまたはＺｒＯであり、前記金属錯体は場合により１つ以上の更なるリガンドを含む請求の範囲第３項に記載の使用。
【請求項８】  有機カチオンが式（ｘ）：
【化６】
2003515795.tif 000006
（式中、Ｒ２８は５〜１１個の炭素原子を有する過フッ素化アルキルを表し、Ｒ２９、Ｒ３０及びＲ３１は同一でも異なっていてもよく、１〜５個、好ましくは１または２個の炭素原子を有するアルキルを表す）
を有するフッ素化アンモニウムイオンである請求の範囲第１項〜第７項のいずれか１項に記載の使用。
【請求項９】  シリケートがヘクトライト、バイデライト、イライト、白雲母、キサントフィライト、真珠雲母、セピオライト、サポナイト、雲母、長石、ノントロナイト、モンモリロナイト、スメクタイト、ベントナイト、フォージャサイト、ゼオライトＡ、ＸまたはＹ、パームチット、サシルまたはその組合せであり、カチオンは請求の範囲第８項に記載の式（ｘ）を有するイオンである、塩様構造化シリケート。
【請求項１０】  シリケート及び式（ｘ）のカチオンの塩を水性媒体中で混合することを含む請求の範囲第９項に記載の塩様構造化シリケートの製造方法。
【請求項１１】  電子写真用トナー、粉末または粉末塗料の総重量に基づいて、３０〜９９．９９重量％（好ましくは、４０〜９９．５重量％）の結合剤、０．０１〜５０重量％（好ましくは、０．０５〜２０重量％）の少なくとも１つの請求の範囲第１項乃至第９項のいづれか一項に記載のイオン性構造化シリケート塩、及び場合により０．００１〜５０重量％（好ましくは、０．０５〜２０重量％）の着色剤を含む電子写真用トナー、粉末または粉末塗料。